(57)【特許請求の範囲】
【請求項１】
２本のデータ線を一組とする複数組のデータ線と複数本の行走査線とがそれぞれ交差する交差部に設けられた複数の画素のそれぞれが、
対向する画素電極と共通電極との間に液晶層が挟持された表示素子と、
入力デジタルデータの画素値と単調的に水平走査周期でレベル変化する基準階調データとが一致した時に、一組の前記２本のデータ線のうち一方のデータ線を介して供給される前記基準階調データと同期して単調的にレベル増加する正極性ランプ信号の電圧をサンプリングして一定期間第１の保持容量に保持する第１のサンプリング及び保持手段と、
前記入力デジタルデータの画素値と前記基準階調データとが一致した時に、一組の前記２本のデータ線のうち他方のデータ線を介して供給される前記基準階調データと同期して単調的にレベル減少する、前記正極性ランプ信号とは逆極性の負極性ランプ信号の電圧をサンプリングして一定期間第２の保持容量に保持する第２のサンプリング及び保持手段と、
前記第１の保持容量及び前記第２の保持容量の各保持電圧を、垂直走査周期よりも短い所定の周期で交互に読み出し、前記第１の保持容量から読み出した電圧は第１のソースフォロワ回路を通して、前記第２の保持容量から読み出した電圧は第２のソースフォロワ回路を通して、前記画素電極に印加する保持電圧読み出し手段と、
表示すべきデジタルデータと同一のデータ値の正常状態のデータと、前記表示すべきデジタルデータのデータ値を反転させた反転状態のデータとを１フレーム単位で交互に切り替えて前記入力デジタルデータとして入力するデータ入力手段と、
前記保持電圧読み出し手段による、前記正常状態のデータの画素値に対応した前記正極性ランプ信号及び前記負極性ランプ信号が前記第１及び第２の保持容量に保持された画素の読み出し時には、前記第１の保持容量から読み出した前記正極性ランプ信号の第１の保持電圧の前記画素電極への印加時に第１の電位の第１の共通電極電圧を前記共通電極に印加し、かつ、前記第２の保持容量から読み出した前記負極性ランプ信号の第２の保持電圧の前記画素電極への印加時に前記第１の電位よりも高電位の第２の電位の第２の共通電極電圧を前記共通電極に印加し、前記反転状態のデータの画素値に対応した前記正極性ランプ信号及び前記負極性ランプ信号が前記第１及び第２の保持容量に保持された画素の読み出し時には、前記第１の保持容量から読み出した前記正極性ランプ信号の第３の保持電圧の前記画素電極への印加時に第２の電位の第３の共通電極電圧を前記共通電極に印加し、かつ、前記第２の保持容量から読み出した前記負極性ランプ信号の第４の保持電圧の前記画素電極への印加時に前記第１の電位の第４の共通電極電圧を前記共通電極に印加する共通電極電圧入力手段と、
前記正常状態のデータの画素値に対応した前記正極性ランプ信号が保持された前記第１の保持容量と、前記正常状態のデータの画素値に対応した前記負極性ランプ信号が保持された前記第２の保持容量との読み出し順序を、前記正常状態のデータの入力期間単位で交互に切り替え、前記反転状態のデータの画素値に対応した前記正極性ランプ信号が保持された前記第１の保持容量と、前記反転状態のデータの画素値に対応した前記負極性ランプ信号が保持された前記第２の保持容量との読み出し順序を、前記反転状態のデータの入力期間単位で交互に切り替える読み出し順序切り替え手段と
を備え、前記複数の画素による表示画面の明るさを、前記第１又は第２のソースフォロワ回路を通して前記画素電極に印加される前記第１乃至第４の保持電圧に応じた明るさの平均とすることを特徴とする液晶表示装置。
【請求項２】
２本のデータ線を一組とする複数組のデータ線と複数本の行走査線とがそれぞれ交差する交差部に設けられた複数の画素のそれぞれが、
対向する画素電極と共通電極との間に液晶層が挟持された表示素子と、
入力デジタルデータの画素値と単調的に水平走査周期でレベル変化する基準階調データとが一致した時に、一組の前記２本のデータ線のうち一方のデータ線を介して供給される前記基準階調データと同期して単調的にレベル増加する正極性ランプ信号の電圧をサンプリングして一定期間第１の保持容量に保持する第１のサンプリング及び保持手段と、
前記入力デジタルデータの画素値と前記基準階調データとが一致した時に、一組の前記２本のデータ線のうち他方のデータ線を介して供給される前記基準階調データと同期して単調的にレベル減少する、前記正極性ランプ信号とは逆極性の負極性ランプ信号の電圧をサンプリングして一定期間第２の保持容量に保持する第２のサンプリング及び保持手段と、
前記第１の保持容量及び前記第２の保持容量の各保持電圧を、垂直走査周期よりも短い所定の周期で交互に読み出し、前記第１の保持容量から読み出した電圧は第１のソースフォロワ回路を通して、前記第２の保持容量から読み出した電圧は第２のソースフォロワ回路を通して、前記画素電極に印加する保持電圧読み出し手段と、
を備える液晶表示装置に対して、
表示すべきデジタルデータと同一のデータ値の正常状態のデータと、前記表示すべきデジタルデータのデータ値を反転させた反転状態のデータとを１フレーム単位で交互に切り替えて前記入力デジタルデータとして前記画素に供給するデータ入力ステップと、
前記保持電圧読み出し手段による、前記正常状態のデータの画素値に対応した前記正極性ランプ信号及び前記負極性ランプ信号が前記第１及び第２の保持容量に保持された画素の読み出し時には、前記第１の保持容量から読み出した前記正極性ランプ信号の第１の保持電圧の前記画素電極への印加時に第１の電位の第１の共通電極電圧を前記共通電極に印加し、かつ、前記第２の保持容量から読み出した前記負極性ランプ信号の第２の保持電圧の前記画素電極への印加時に前記第１の電位よりも高電位の第２の電位の第２の共通電極電圧を前記共通電極に印加する第１及び第２の共通電極電圧入力ステップと、
前記反転状態のデータの画素値に対応した前記正極性ランプ信号及び前記負極性ランプ信号が前記第１及び第２の保持容量に保持された画素の読み出し時には、前記第１の保持容量から読み出した前記正極性ランプ信号の第３の保持電圧の前記画素電極への印加時に第２の電位の第３の共通電極電圧を前記共通電極に印加し、かつ、前記第２の保持容量から読み出した前記負極性ランプ信号の第４の保持電圧の前記画素電極への印加時に前記第１の電位の第４の共通電極電圧を前記共通電極に印加する第３及び第４の共通電極電圧入力ステップと、
前記正常状態のデータの画素値に対応した前記正極性ランプ信号が保持された前記第１の保持容量と、前記正常状態のデータの画素値に対応した前記負極性ランプ信号が保持された前記第２の保持容量との読み出し順序を、前記正常状態のデータの入力期間単位で交互に切り替える第１の読み出し順序切り替えステップと、
前記反転状態のデータの画素値に対応した前記正極性ランプ信号が保持された前記第１の保持容量と、前記反転状態のデータの画素値に対応した前記負極性ランプ信号が保持された前記第２の保持容量との読み出し順序を、前記反転状態のデータの入力期間単位で交互に切り替える第２の読み出し順序切り替えステップと
を含み、前記複数の画素による表示画面の明るさを、前記第１又は第２のソースフォロワ回路を通して前記画素電極に印加される前記第１乃至第４の保持電圧に応じた明るさの平均とすることを特徴とする液晶表示装置の駆動方法。
【発明の詳細な説明】
【技術分野】
【０００１】
本発明は液晶表示装置及びその駆動方法に係り、特にデジタル映像信号をランプ信号などを使ってデジタル−アナログ変換（以下、ＤＡ変換）して得たアナログ電圧で液晶表示素子を駆動する反射型液晶プロジェクタ装置等に用いる液晶表示装置及びその駆動方法に関する。
【背景技術】
【０００２】
近年、プロジェクタ装置やプロジェクションテレビには画像を投影するための中心部品としてＬＣＯＳ(Liquid Crystal on Silicon)型液晶表示装置が多く用いられている。このＬＣＯＳ等の液晶表示装置の表示方式には、従来ＣＭＯＳ(Complementary Metal Oxide Semiconductor)等の半導体素子へアナログ映像信号を入力し、その信号を画素毎の液晶表示素子の画素電極にそのまま保持して、液晶の配向を変える方式や、デジタル信号によりパルス幅変調（ＰＷＭ；Pulse Width Modulation)した映像信号を液晶表示素子の画素電極に印加して液晶の配向を時間的に切り替えて駆動する方式などがあった。その中でアナログ信号を画素電極へ直接印加する方式は液晶の焼き付き等を起こし易いという問題がある。
【０００３】
その問題を解決するため、本出願人は先に、２本のデータ線（列信号線）を一組とする複数組のデータ線と、複数本のゲート線（行走査線）との各交差部にそれぞれ画素を配置し、それらの各画素において正極性映像信号と負極性映像信号とを２つの保持容量に別々にサンプリング保持した後、それらの保持電圧を交互に画素電極に印加して液晶表示素子を交流駆動する液晶表示装置を提案した（例えば、特許文献１参照）。
【０００４】
この液晶表示装置では、図７に示すように、デジタルデータ値“００”（黒レベル）からデジタルデータ値“ＦＦ”（白レベル）まで１水平走査期間（１Ｈ）周期で単調的に増加する正極性ランプ信号ＲＡＭＰ1+と、デジタルデータ値“００”（黒レベル）からデジタルデータ値“ＦＦ”（白レベル）まで１水平走査期間（１Ｈ）周期で単調的に減少する負極性ランプ信号ＲＡＭＰ1-とを１ラインの画素数に対応した組数の各ビデオスイッチに共通に同時に供給する。ここで、各組のビデオスイッチは、正極性ランプ信号ＲＡＭＰ1+が供給される正極性用ビデオスイッチと、負極性ランプ信号ＲＡＭＰ1-が供給される負極性用ビデオスイッチとからなる。
【０００５】
そして、すべてのビデオスイッチを水平走査期間開始毎に一斉にオンにした後、ランプ信号ＲＡＭＰ1+及びＲＡＭＰ1-に同期したクロックをカウンタによりカウントして得た階調を示すカウンタ値とデジタル映像信号の画素値とを１ラインの画素単位で比較するコンパレータから、両者が一致した時に一致パルスを出力して、その画素に対応して設けられた一組のビデオスイッチを同時にオフとし、このときのランプ信号ＲＡＭＰ1+、ＲＡＭＰ1-の各電圧をサンプリングし、オフとされた一組のビデオスイッチに一組のデータ線を介して接続された画素内の正極性用保持容量と負極性用保持容量とに供給し、デジタル映像信号をアナログ映像信号へ変換した信号電圧のサンプリング保持が行われる。
【０００６】
そして、正極性用保持容量にサンプリング保持された正極性映像信号の画素値に対応したランプ信号ＲＡＭＰ1+の電圧と、負極性用保持容量にサンプリング保持された負極性映像信号の画素値に対応したランプ信号ＲＡＭＰ1-の電圧とは、垂直走査周波数よりも短い所定の周期で交互に切り替えられて液晶表示素子の画素電極に印加される。液晶表示素子は、互いに対向して設けられた画素電極と共通電極との間に液晶層が挟持された構造である。ここで、正極性用保持容量にサンプリング保持されたランプ信号ＲＡＭＰ1+の電圧が画素電極に印加されるときには、共通電極には図７にＶcom1+で示すレベルの共通電極電圧が印加され、負極性用保持容量にサンプリング保持されたランプ信号ＲＡＭＰ1-の電圧が画素電極に印加されるときには、共通電極には図７にＶcom1-で示すレベルの共通電極電圧が印加される。
【０００７】
従って、液晶層に印加される電圧は、画素電極の印加電圧と共通電極の印加電圧との差電圧となるから、正極性用保持容量にサンプリング保持されたランプ信号ＲＡＭＰ1+の電圧が画素電極に印加されるときには、図７にＶp1で示す電圧となり、負極性用保持容量にサンプリング保持されたランプ信号ＲＡＭＰ1-の電圧が画素電極に印加されるときには、図７にＶm1で示す電圧となり、電圧の印加方向は逆になるが、同じ印加電圧が同じデータで液晶層に印加されることとなり、これを高速に切り替えることで、同じデータの場合表示される明るさは変わらないが、画素電極及び共通電極に印加される電圧が逆極性になるため、焼き付きを発生させにくい状態にできる。
【０００８】
この液晶表示装置は、画素電極に印加する電圧を正極性用保持容量と負極性用保持容量とに１フレーム期間それぞれ保持しておくことができるので、液晶表示素子の交流駆動周波数は、垂直走査周波数によらず、画素回路での反転制御周期で自由に設定することができる。これにより、この液晶表示装置によれば、交流駆動周波数を垂直走査周波数よりも極めて高く設定でき、それにより従来に比べて焼き付きを防止でき、信頼性や安定性、シミなどの表示品位低下を防止でき、更にデジタルのＰＷＭ方式より階調を正しく表現できるなどの特長が得られる。
【先行技術文献】
【特許文献】
【０００９】
【特許文献１】特開２００９−２２３２８９号公報
【発明の概要】
【発明が解決しようとする課題】
【００１０】
しかしながら、上記の液晶表示装置では、各画素が、２つの保持容量に保持された２つのランプ信号電圧を２つのソースフォロワ回路を通して出力し、それをスイッチングトランジスタにより交互に選択して画素電極に印加する回路構成であるため、各画素毎にソースフォロワ回路のトランジスタの閾値電圧Ｖthのばらつきが発生し、それが問題となる。
【００１１】
すなわち、正極性用保持容量にサンプリング保持されたランプ信号ＲＡＭＰ1+の電圧が図７にＶp1で示す電圧であるが、正極性側のソースフォロワ回路内のトランジスタのＶthが平均値より高い場合、図７に示すようにその誤差分のVlv1だけ高い電圧となって画素電極に印加されることとなる。この場合は、正しい明るさよりも明るい画素状態となる。
【００１２】
一方、負極性用保持容量にサンプリング保持されたランプ信号ＲＡＭＰ1-の電圧が図７にＶm1で示す電圧であるが、負極性側のソースフォロワ回路内のトランジスタのＶthが平均値より高い場合、図７に示すようにその誤差分のVlv2だけ高い電圧となって画素電極に印加されることとなる。この場合は、正しい明るさよりも暗い画素状態となる。このように、各画素内の正極性側のソースフォロワ回路のトランジスタのＶthと、負極性側のソースフォロワ回路のトランジスタのＶthとが正規の値よりもずれた誤差があると、正しい明るさからずれた状態を表示することになる。
【００１３】
この正極性画素電極電圧と負極性画素電極電圧とを、例えば２ｋＨｚ周期で切り替えると、それらの画素電極印加時の液晶表示素子の明るさを平均することになり、上記のＶthばらつきにより、正極性画素電極電圧と負極性画素電極電圧との平均との差によって、明るい固定パターンノイズ（ＦＰＮ）や暗いＦＰＮが発生する。
【００１４】
ここで、図７に示した正極性画素電極電圧印加時の液晶表示素子の明るさＸpは次式で表わされる。
【００１５】
Ｘp＝ｆp×（Ｖp1＋Ｖlv1）          （１）
ただし、（１）式中、ｆpは電圧印加時の表示明るさを計算する関数、Ｖp1は画素内の正極性側保持容量の入力電圧、Ｖlv1は画素の正極性側ソースフォロワ回路のばらつき電圧である。また、図７に示した負極性画素電極電圧印加時の液晶表示素子の明るさＸmは次式で表わされる。
【００１６】
Ｘm＝ｆm×（Ｖm1−Ｖlv2）          （２）
ただし、（２）式中、ｆmは電圧印加時の表示明るさを計算する関数、Ｖm1は画素内の負極性側保持容量の入力電圧、Ｖlv2は画素の負極性側ソースフォロワ回路のばらつき電圧である。観察者が見る明るさは、上記の明るさＸpとＸmとの平均となり、ざらつき感を与えてしまう。
【００１７】
また、上記の液晶表示装置は、画素回路の使用デバイス数が多いので、輝点、黒点などの不良画素が発生し易いという問題もある。
【００１８】
本発明は以上の点に鑑みなされたもので、画素のばらつきを抑圧することで、表示画像中のＦＰＮを低減し、表示品質を向上でき、また輝点、黒点などもある程度抑圧できる液晶表示装置及びその駆動方法を提供することを目的とする。
【課題を解決するための手段】
【００１９】
上記の目的を達成するため、本発明の液晶表示装置は、２本のデータ線を一組とする複数組のデータ線と複数本の行走査線とがそれぞれ交差する交差部に設けられた複数の画素のそれぞれが、
対向する画素電極と共通電極との間に液晶層が挟持された表示素子と、入力デジタルデータの画素値と単調的に水平走査周期でレベル変化する基準階調データとが一致した時に、一組の２本のデータ線のうち一方のデータ線を介して供給される基準階調データと同期して単調的にレベル増加する正極性ランプ信号の電圧をサンプリングして一定期間第１の保持容量に保持する第１のサンプリング及び保持手段と、入力デジタルデータの画素値と基準階調データとが一致した時に、一組の２本のデータ線のうち他方のデータ線を介して供給される基準階調データと同期して単調的にレベル減少する、正極性ランプ信号とは逆極性の負極性ランプ信号の電圧をサンプリングして一定期間第２の保持容量に保持する第２のサンプリング及び保持手段と、第１の保持容量及び第２の保持容量の各保持電圧を、垂直走査周期よりも短い所定の周期で交互に読み出し、第１の保持容量から読み出した電圧は第１のソースフォロワ回路を通して、第２の保持容量から読み出した電圧は第２のソースフォロワ回路を通して、画素電極に印加する保持電圧読み出し手段と、表示すべきデジタルデータと同一のデータ値の正常状態のデータと、表示すべきデジタルデータのデータ値を反転させた反転状態のデータとを１フレーム単位で交互に切り替えて入力デジタルデータとして入力するデータ入力手段と、保持電圧読み出し手段による、正常状態のデータの画素値に対応した正極性ランプ信号及び負極性ランプ信号が第１及び第２の保持容量に保持された画素の読み出し時には、第１の保持容量から読み出した正極性ランプ信号の第１の保持電圧の画素電極への印加時に第１の電位の第１の共通電極電圧を共通電極に印加し、かつ、第２の保持容量から読み出した負極性ランプ信号の第２の保持電圧の画素電極への印加時に第１の電位よりも高電位の第２の電位の第２の共通電極電圧を共通電極に印加し、反転状態のデータの画素値に対応した正極性ランプ信号及び負極性ランプ信号が第１及び第２の保持容量に保持された画素の読み出し時には、第１の保持容量から読み出した正極性ランプ信号の第３の保持電圧の画素電極への印加時に第２の電位の第３の共通電極電圧を共通電極に印加し、かつ、第２の保持容量から読み出した負極性ランプ信号の第４の保持電圧の画素電極への印加時に第１の電位の第４の共通電極電圧を共通電極に印加する共通電極電圧入力手段と、正常状態のデータの画素値に対応した正極性ランプ信号が保持された第１の保持容量と、正常状態のデータの画素値に対応した負極性ランプ信号が保持された第２の保持容量との読み出し順序を、正常状態のデータの入力期間単位で交互に切り替え、反転状態のデータの画素値に対応した正極性ランプ信号が保持された第１の保持容量と、反転状態のデータの画素値に対応した負極性ランプ信号が保持された第２の保持容量との読み出し順序を、反転状態のデータの入力期間単位で交互に切り替える読み出し順序切り替え手段とを備え、複数の画素による表示画面の明るさを、第１又は第２のソースフォロワ回路を通して画素電極に印加される第１乃至第４の保持電圧に応じた明るさの平均とすることを特徴とする。
【００２０】
また、上記の目的を達成するため、本発明の液晶表示装置の駆動方法は、２本のデータ線を一組とする複数組のデータ線と複数本の行走査線とがそれぞれ交差する交差部に設けられた複数の画素のそれぞれが、
対向する画素電極と共通電極との間に液晶層が挟持された表示素子と、入力デジタルデータの画素値と単調的に水平走査周期でレベル変化する基準階調データとが一致した時に、一組の前記２本のデータ線のうち一方のデータ線を介して供給される前記基準階調データと同期して単調的にレベル増加する正極性ランプ信号の電圧をサンプリングして一定期間第１の保持容量に保持する第１のサンプリング及び保持手段と、入力デジタルデータの画素値と基準階調データとが一致した時に、一組の２本のデータ線のうち他方のデータ線を介して供給される基準階調データと同期して単調的にレベル減少する、正極性ランプ信号とは逆極性の負極性ランプ信号の電圧をサンプリングして一定期間第２の保持容量に保持する第２のサンプリング及び保持手段と、第１の保持容量及び第２の保持容量の各保持電圧を、垂直走査周期よりも短い所定の周期で交互に読み出し、第１の保持容量から読み出した電圧は第１のソースフォロワ回路を通して、第２の保持容量から読み出した電圧は第２のソースフォロワ回路を通して、画素電極に印加する保持電圧読み出し手段と、を備える液晶表示装置に対して、
表示すべきデジタルデータと同一のデータ値の正常状態のデータと、表示すべきデジタルデータのデータ値を反転させた反転状態のデータとを１フレーム単位で交互に切り替えて入力デジタルデータとして画素に供給するデータ入力ステップと、保持電圧読み出し手段による、正常状態のデータの画素値に対応した正極性ランプ信号及び負極性ランプ信号が第１及び第２の保持容量に保持された画素の読み出し時には、第１の保持容量の正極性ランプ信号の第１の保持電圧の画素電極への印加時に第１の電位の第１の共通電極電圧を共通電極に印加し、かつ、第２の保持容量の負極性ランプ信号の第２の保持電圧の画素電極への印加時に第１の電位よりも高電位の第２の電位の第２の共通電極電圧を共通電極に印加する第１及び第２の共通電極電圧入力ステップと、反転状態のデータの画素値に対応した正極性ランプ信号及び負極性ランプ信号が第１及び第２の保持容量に保持された画素の読み出し時には、第１の保持容量の正極性ランプ信号の第３の保持電圧の画素電極への印加時に第２の電位の第３の共通電極電圧を共通電極に印加し、かつ、第２の保持容量の負極性ランプ信号の第４の保持電圧の画素電極への印加時に第１の電位の第４の共通電極電圧を共通電極に印加する第３及び第４の共通電極電圧入力ステップと、正常状態のデータの画素値に対応した正極性ランプ信号が保持された第１の保持容量と、正常状態のデータの画素値に対応した負極性ランプ信号が保持された第２の保持容量との読み出し順序を、正常状態のデータの入力期間単位で交互に切り替える第１の読み出し順序切り替えステップと、反転状態のデータの画素値に対応した正極性ランプ信号が保持された第１の保持容量と、反転状態のデータの画素値に対応した負極性ランプ信号が保持された第２の保持容量との読み出し順序を、反転状態のデータの入力期間単位で交互に切り替える第２の読み出し順序切り替えステップとを含み、複数の画素による表示画面の明るさを、第１又は第２のソースフォロワ回路を通して画素電極に印加される第１乃至第４の保持電圧に応じた明るさの平均とすることを特徴とする。
【発明の効果】
【００２１】
本発明によれば、基本的な画素の回路を変更することなく、画素のばらつきを抑圧することで、表示画像中のＦＰＮを低減し、表示品質を向上でき、また輝点、黒点などもある程度抑圧できる。
【図面の簡単な説明】
【００２２】
【図１】本発明の液晶表示装置の一実施の形態のシステム構成図である。
【図２】図１中の液晶パネル駆動素子の一実施の形態の概略ブロック図である。
【図３】図１中の画素部を構成する一画素の一例の等価回路図である。
【図４】図１の実施の形態におけるフレーム単位の入力データと共通電極電圧との組み合わせを示す図である。
【図５】図１中の液晶パネル駆動素子に入力される反転状態のデータとランプ信号と共通電極電圧との関係を示す図である。
【図６】図１の実施の形態におけるフレーム単位の入力データと共通電極電圧と関係を示す図である。
【図７】液晶パネル駆動素子に入力される正常状態のデータとランプ信号と共通電極電圧との関係を示す図である。
【発明を実施するための形態】
【００２３】
次に、本発明の実施の形態について図面を参照して説明する。
【００２４】
従来の液晶表示装置の課題は、基本的には画素毎のソースフォロワ回路のトランジスタのVthバラツキ等が主原因であるため、画素毎に補正を行うことが考えられるが、以下のような課題があって実現が難しい。
【００２５】
第１の課題は、液晶パネル駆動素子の画素内で補正回路を構成する場合は素子の増加が必須であり画素ピッチが狭い場合は実現が難しい、ということである。第２の課題は、液晶パネル駆動素子の外部に補正メモリを持つ場合は、フレーム分のメモリが必要となりシステムが大きくなってしまう。また補正データの取り込みをカメラなどを用いて精度良く行う事は難しい、ということである。第３の課題は、１画素内に正極性信号電圧用と負極性信号電圧用にそれぞれ保持容量を持つ液晶表示装置では、データ量が多くなり、精度良く補正するためには２種類のデータを入力する必要があり、高速なデータ入力が必要となってしまう、ということである。
【００２６】
しかし、画素の正極性側のソースフォロワ回路のトランジスタと負極性側のソースフォロワ回路のトランジスタのＶthのばらつきは、それぞれ各画素の平均的なソースフォロワ回路のトランジスタのＶthとの差を考えた場合、基板効果の影響はあるが、正しい信号レベルに対して、どのような入力電圧に対しても同じ方向にずれており、その状態は殆ど変わらない。
【００２７】
そこで、以下説明する本実施の形態の液晶表示装置では、この点に着目し、上記の補正方法を用いずにザラツキ感を改善する。
【００２８】
図１は、本発明になる液晶表示装置の一実施の形態のシステム構成図を示す。本実施の形態の液晶表示装置１０は、図１に示すように、パネル駆動用外部駆動回路１１と、液晶パネル駆動素子１２とから構成される。パネル駆動用外部駆動回路１１は、ｎビットのデジタルデータ（デジタル映像信号）と、Ｖシフト用クロックと、画素選択信号と、液晶表示素子の共通電極電圧とを生成して液晶パネル駆動素子１２に供給する。
【００２９】
ｎビットデジタルデータは、ｎビットが８ビットの場合、“００”から“ＦＦ”までを使用し、“００”の場合最も暗く、“ＦＦ”の場合最も明るいデータ（以下、このデータを「正常状態のデータ」というものとする）と、“００”の場合最も明るく、“ＦＦ”の場合最も暗いデータ（以下、このデータを「反転状態のデータ」というものとする）とがある。パネル駆動用外部駆動回路１１は、この正常状態のデータと反転状態のデータとを１フレーム単位で交互に液晶パネル駆動素子１２に供給する。なお、反転状態のデータは、正常状態のデータを反転しているため、反転状態のデータの“００”は正常状態のデータの値では“ＦＦ”であり、また反転状態のデータの“ＦＦ”は正常状態のデータの値では“００”である。
【００３０】
また、Ｖシフト用クロックは、ｎビットデジタルデータを液晶パネル駆動素子１２内の画素部の１水平ライン毎に書き込むための水平ラインを選択するためのクロックである。また、画素選択信号は、正極性側保持容量に保持された信号電圧を画素電極に読み出すか、負極性側保持容量に保持された信号電圧を画素電極に読み出すかを選択するための信号である。更に、共通電極電圧は、液晶表示素子の共通電極に印加される電圧で、画素選択信号に同期して２つの電圧値のどちらか一方に変化する。
【００３１】
図２は、液晶パネル駆動素子１２の一実施の形態の概略ブロック図を示す。同図に示すように、液晶パネル駆動素子１２は、水平シフトレジスタ及びコンパレータ１２１と、水平駆動回路（ビデオスイッチ等）１２２と、複数の画素が２次元マトリクス状に配置された画素部１２３と、垂直シフトレジスタ１２４と、画素選択回路１２５とを含む構成である。
【００３２】
画素部１２３を構成する複数の画素の各々は特許文献１に記載の画素と同じ、図３に示す等価回路で表わされる構成であってよい。図３において、ソースフォロワ用ＰチャンネルＭＯＳ型トランジスタ（以下、ＰＭＯＳトランジスタという）Ｔｒ３、Ｔｒ４は、ゲートが保持容量Ｃ１、Ｃ２と画素選択用ＮチャンネルＭＯＳ型トランジスタ（以下、ＮＭＯＳトランジスタという）Ｔｒ１、Ｔｒ２のドレインとの接続点に接続され、ソースがスイッチング用ＰＭＯＳトランジスタＴｒ５、Ｔｒ６のドレイン・ソースを通して定電流用ＰＭＯＳトランジスタＴｒ７のドレインに接続されている。トランジスタＴｒ５、Ｔｒ６及びＴｒ７の各接続点は画素電極ＰＥに接続されている。液晶表示素子ＬＣは、対向して配置された画素電極ＰＥと共通電極ＣＥとの間に液晶層ＬＣＭが挟持された構造であり、共通電極ＣＥには共通電極電圧Ｖcomが印加される。
【００３３】
ｉ列目の正極性用データ線Ｄi+はＮＭＯＳトランジスタＴｒ１のドレインに接続され、ｉ列目の負極性用データ線Ｄi-はＮＭＯＳトランジスタＴｒ２のドレインに接続されている。ＮＭＯＳトランジスタＴｒ１及びＴｒ２の各ゲートは、ｊ行目の行走査線（ゲート線）Ｇjに共通に接続されている。なお、同じｉ列目の各画素のＮＭＯＳトランジスタＴｒ１、Ｔｒ２のドレインもデータ線Ｄi+、Ｄi-に接続されている。また、同じｊ行目の各画素のＮＭＯＳトランジスタＴｒ１及びＴｒ２の各ゲートも行走査線Ｇjに接続されている。
【００３４】
この画素では、データ線Ｄi+、Ｄi-を介して入力される正極性と負極性の各アナログ信号（前記ランプ信号）がＮＭＯＳトランジスタＴｒ１、Ｔｒ２によりサンプリングされて、保持容量Ｃ１、Ｃ２に保持される。その後の読み出し時には、ＰＭＯＳトランジスタＴｒ５、Ｔｒ６がスイッチング信号２ｋ、２ｋｂにより垂直走査周期よりも短い所定周期で交互にオンとされ、保持容量Ｃ１、Ｃ２に保持されている正極性保持電圧と負極性保持電圧とをソースフォロワ用ＰＭＯＳトランジスタＴｒ３、Ｔｒ４を通して交互に画素電極ＰＥに印加する。また、液晶表示素子ＬＣの共通電極ＣＥには、図１のパネル駆動用外部駆動回路１１から液晶共通電極電圧Ｖcomが印加される。なお、本実施の形態では、後述するように液晶共通電極電圧Ｖcomは、Ｖcom1+、Ｖcom1-、Ｖcom2+、Ｖcom2-の４種類ある。
【００３５】
図２に戻って説明する。垂直シフトレジスタ１２４は、パネル駆動用外部駆動回路１１からＶシフト用クロックが入力され、１垂直走査期間内で画素部１２３の各画素を第１水平ラインから最終水平ラインまで１水平走査期間（１Ｈ）毎に各水平ラインの画素を上から下方向に順番に選択する行選択信号を行走査線に出力する。
【００３６】
画素選択回路１２５は、パネル駆動用外部駆動回路１１から画素選択信号が入力され、画素部１２３の読み出し時に各画素の図３に示したスイッチング用ＰＭＯＳトランジスタＴｒ５及びＴｒ６を１垂直走査周期よりも短い周期（例えば、２ｋＨｚの周期）で交互にオン、オフに制御するスイッチング信号（図３の２ｋ、２ｋｂ）を画素部１２３に出力する。
【００３７】
次に、図２の液晶パネル駆動素子１２の動作について説明する。
【００３８】
画素書き込み時には、図２の水平シフトレジスタ及びコンパレータ１２１内の水平シフトレジスタに、図１のパネル駆動用外部駆動回路１１からｎビットデジタルデータが入力される。このｎビットデジタルデータは、前述したように正常状態のデータ及び反転状態のデータとが１フレーム毎に交互に切り替えられて時系列的に合成されたデータである。図４（Ａ）は、水平シフトレジスタに入力されるｎビットデジタルデータを模式的に示す。
【００３９】
上記の水平シフトレジスタは、入力される正常状態のデータ又は反転状態のデータの１ライン分を展開し、かつ、一時保持して水平シフトレジスタ及びコンパレータ１２１内のコンパレータに供給する。このコンパレータは、ｎ組のデータ線（列信号線）に対応して各列毎にｎ個設けられている。ｎ個のコンパレータは、複数の階調値が例えば最小値から最大値まで水平走査期間内で一定期間毎に段階的に変化するカウンタ（図示せず）からの基準階調データが共通に供給される一方、上記のシフトレジスタにより保持された画像データが１ラインのｎ画素の各画素単位で供給されて両者を比較し、両者が一致したとき一致パルスを水平駆動回路１２２に供給する。
【００４０】
水平駆動回路１２２は、２本一組のデータ線（列信号線）Ｄi+、Ｄi-の一方のデータ線Ｄi+に接続された正極性用ビデオスイッチと、他方のデータ線Ｄi-に接続された負極性用ビデオスイッチとが各組のデータ線（列信号線）単位で全部でｎ組設けられると共に、前述したシフトレジスタ及びコンパレータ１２１内のｎ個のコンパレータのうち対応して設けられたコンパレータから一致パルスが供給される構成である。
【００４１】
そして、すべてのビデオスイッチは水平走査期間開始毎に一斉にオンにされた後、ランプ信号に同期したクロックを階調カウンタによりカウントして得た階調を示すカウンタ値と入力デジタルデータ（正常状態のデータ又は反転状態のデータ）の画素値とを１ラインの画素単位で比較するコンパレータから両者が一致した時に一致パルスが出力されるときにのみ、その一致パルスを出力するコンパレータに対応して設けられた画素の一組のビデオスイッチを一致パルス入力により同時にオフとし、このときの正極性ランプ信号と負極性ランプ信号の各電圧を、オフとされた一組のビデオスイッチに一組のデータ線を介して接続された画素内の正極性用保持容量Ｃ１と負極性用保持容量Ｃ２とに供給してサンプリング保持が行われる。
【００４２】
ここで、正常状態のデータの画素への書き込み時には、上記の正極性ランプ信号ＲＡＭＰ+は図７に示したＲＡＭＰ1+であり、上記の負極性ランプ信号ＲＡＭＰ-は図７に示したＲＡＭＰ1-である。従って、正常状態のデータの画素への書き込みは、従来の液晶表示装置の画素書き込みと同様に行われる。
【００４３】
１フレーム分の正常状態のデータの画素への書き込みが行われると、画素に書き込まれている正常状態のデータの読み出しが１垂直走査周期より短い周期（例えば、２ｋＨｚの周期）で行われる。本実施の形態では、この正常状態のデータの読み出し方法には、画素電極ＰＥに印加される電圧と共通電極ＣＥに印加される共通電極電圧Ｖcomとの関係で２種類の組み合わせがある。第１の種類の組み合わせは、図４（Ａ）、（Ｂ）に「組み合わせ１」として示すもので、画素電極ＰＥに印加される奇数番目の電圧は正極性用保持容量Ｃ１に保持された正極性の正常状態のデータ（具体的にはサンプリングされた正極性ランプ信号ＲＡＭＰ1+）であり、かつ、その時の共通電極電圧Ｖcomは図４（Ｂ）にローレベルで示すように、図７にＶcom1+で示す低レベル側の共通電極電圧であり、画素電極ＰＥに印加される偶数番目の電圧は負極性用保持容量Ｃ２に保持された負極性の正常状態のデータ（具体的にはサンプリングされた負極性ランプ信号ＲＡＭＰ1-）であり、かつ、その時の共通電極電圧Ｖcomは図４（Ｂ）にハイレベルで示すように、図７にＶcom1-で示す高レベル側の共通電極電圧である。
【００４４】
第２の種類の組み合わせは、図４（Ａ）、（Ｂ）に「組み合わせ３」として示すもので、組み合わせ１と逆順としたものであり、画素電極ＰＥに印加する電圧を奇数番目は負極性の正常状態のデータ（具体的にはサンプリングされた負極性ランプ信号ＲＡＭＰ1-）とし、偶数番目は正極性の正常状態のデータ（具体的にはサンプリングされた正極性ランプ信号ＲＡＭＰ1+）としたものであり、また、画素電極ＰＥへの印加電圧に対応して共通電極電圧もＶcom1-、Ｖcom1+の順番としたものである。ここでは、組み合わせ1の例による読み出しが行われるものとする。
【００４５】
続いて次の１フレーム分の反転状態のデータの画素への書き込みが開始される。この反転状態のデータの画素への書き込みは、図５に示すように、反転状態のデータの値“００”（白レベル）から値“ＦＦ”（黒レベル）まで１Ｈ周期で単調的に増加する正極性ランプ信号ＲＡＭＰ2+と、反転状態のデータの値“００”（白レベル）から値“ＦＦ”（黒レベル）まで１Ｈ周期で単調的に減少する負極性ランプ信号ＲＡＭＰ2-とを、図２の水平駆動回路１２２内の１ラインの画素数に対応した組数の各ビデオスイッチに共通に同時に供給する。ここで、各組のビデオスイッチは、正極性ランプ信号ＲＡＭＰ2+が供給される正極性用ビデオスイッチと、負極性ランプ信号ＲＡＭＰ2-が供給される負極性用ビデオスイッチとからなる。
【００４６】
そして、すべてのビデオスイッチを水平走査期間開始毎に一斉にオンにした後、ランプ信号ＲＡＭＰ2+及びＲＡＭＰ2-に同期したクロックをカウンタによりカウントして得た階調を示すカウンタ値とデジタル映像信号の画素値とを１ラインの画素単位で比較するコンパレータから、両者が一致した時に一致パルスを出力して、その画素に対応して設けられた一組のビデオスイッチを同時にオフとし、このときのランプ信号ＲＡＭＰ2+、ＲＡＭＰ2-の各電圧をサンプリングし、オフとされた一組のビデオスイッチに一組のデータ線（図３のＤi+、Ｄi-）を介して接続された画素内の正極性用保持容量（図３のＣ１）と負極性用保持容量（図３のＣ２）とに供給し保持させる。
【００４７】
１フレーム分の反転状態のデータの画素への書き込みが行われると、画素に書き込まれている反転状態のデータの読み出しが例えば、２ｋＨｚの周期で行われる。本実施の形態では、この反転状態のデータの読み出し方法も正常状態のデータの読み出し方法と同様に、画素電極ＰＥに印加される電圧と共通電極ＣＥに印加される共通電極電圧Ｖcomとの関係で２種類の組み合わせがある。第１の種類の組み合わせは、図４（Ａ）、（Ｂ）に「組み合わせ２」として示すもので、画素電極ＰＥに印加される奇数番目の電圧は正極性用保持容量Ｃ１に保持された正極性の反転状態のデータ（具体的にはサンプリングされた正極性ランプ信号ＲＡＭＰ2+）であり、かつ、その時の共通電極電圧Ｖcomは図４（Ｂ）にハイレベルで示すように、図５にＶcom2+で示す高レベル側の共通電極電圧であり、画素電極ＰＥに印加される偶数番目の電圧は負極性用保持容量Ｃ２に保持された負極性の反転状態のデータ（具体的にはサンプリングされた負極性ランプ信号ＲＡＭＰ2-）であり、かつ、その時の共通電極電圧Ｖcomは図４（Ｂ）にローレベルで示すように、図５にＶcom2-で示す低レベル側の共通電極電圧である。
【００４８】
第２の種類の組み合わせは、図４（Ａ）、（Ｂ）に「組み合わせ４」として示すもので、組み合わせ２と逆順としたものであり、画素電極ＰＥに印加する電圧を奇数番目は負極性の反転状態のデータ（具体的にはサンプリングされた負極性ランプ信号ＲＡＭＰ2-）とし、偶数番目は正極性の反転状態のデータ（具体的にはサンプリングされた負極性ランプ信号ＲＡＭＰ2+）としたものであり、また、画素電極ＰＥへの印加電圧に対応して共通電極電圧もＶcom2-、Ｖcom2+の順番としたものである。ここでは、組み合わせ２の例による読み出しが行われるものとする。
【００４９】
この反転状態のデータの読み出しについて更に詳細に説明する。
【００５０】
正極性用保持容量Ｃ１にサンプリング保持されたランプ信号ＲＡＭＰ2+の電圧が画素電極ＰＥに印加されるときには、共通電極ＣＥには図５にＶcom2+で示すレベルの共通電極電圧が印加され、負極性用保持容量Ｃ２にサンプリング保持されたランプ信号ＲＡＭＰ2-の電圧が画素電極ＰＥに印加されるときには、共通電極ＣＥには図５にＶcom2-で示すレベルの共通電極電圧が印加される。
【００５１】
従って、液晶表示素子ＬＣの液晶層ＬＣＭに印加される電圧は、画素電極ＰＥの印加電圧と共通電極ＣＥの印加電圧との差電圧となるから、正極性用保持容量Ｃ１にサンプリング保持されたランプ信号ＲＡＭＰ2+の電圧が画素電極に印加されるときには、図５にＶp2で示す電圧となり、負極性用保持容量Ｃ２にサンプリング保持されたランプ信号ＲＡＭＰ2-の電圧が画素電極ＰＥに印加されるときには、図５にＶm2で示す電圧となり、電圧の印加方向は逆になるが、同じ印加電圧が同じデータで液晶層ＬＣＭに印加されることとなり、これを高速に切り替えることで、前述した正常状態のデータの読み出し時と同様に、同じデータの場合表示される明るさは変わらないが、画素電極ＰＥ及び共通電極ＣＥに印加される電圧が逆極性になるため、焼き付きを発生させにくい状態にできる。
【００５２】
ここで、正極性用保持容量にサンプリング保持されたランプ信号ＲＡＭＰ2+の電圧が図５にＶp2で示す電圧であるが、正極性側のソースフォロワ回路内のトランジスタ（図３のＰＭＯＳトランジスタＴｒ３）のＶthが平均値より高い場合、図５に示すようにその誤差分のVlv1だけ高い電圧となって画素電極ＰＥに印加されることとなる。この場合は、正しい明るさよりも暗い画素状態となる。
【００５３】
一方、負極性用保持容量にサンプリング保持されたランプ信号ＲＡＭＰ2-の電圧が図５にＶm2で示す電圧であるが、負極性側のソースフォロワ回路内のトランジスタ（図３のＰＭＯＳトランジスタＴｒ４）のＶthが平均値より高い場合、図５に示すようにその誤差分のVlv2だけ高い電圧となって画素電極ＰＥに印加されることとなる。この場合は、正しい明るさよりも明るい画素状態となる。このように、各画素内の正極性側のソースフォロワ回路のトランジスタのＶthと、負極性側のソースフォロワ回路のトランジスタのＶthとが正規の値よりもずれた誤差があると、正しい明るさからずれた状態を表示することになることは、図７と共に説明した正常状態のデータ読み出し時と同様である。
【００５４】
ここで、図５に示した正極性画素電極電圧印加時の液晶表示素子の明るさＸp2は次式で表わされる。
【００５５】
Ｘp2＝ｆp×（Ｖp2−Ｖlv1）          （３）
ただし、（３）式中、ｆpは電圧印加時の表示明るさを計算する関数、Ｖp2は画素内の正極性側保持容量の反転状態のデータの入力電圧、Ｖlv1は画素の正極性側ソースフォロワ回路のばらつき電圧である。また、図５に示した負極性画素電極電圧印加時の液晶表示素子の明るさＸm2は次式で表わされる。
【００５６】
Ｘm2＝ｆm×（Ｖm2＋Ｖlv2）          （４）
ただし、（４）式中、ｆmは電圧印加時の表示明るさを計算する関数、Ｖm2は画素内の負極性側保持容量の反転状態のデータの入力電圧、Ｖlv2は画素の負極性側ソースフォロワ回路のばらつき電圧である。
【００５７】
次に、図２に戻って説明する。図２の液晶パネル駆動素子１２は、パネル駆動用外部駆動回路１１から正常状態のデータと反転状態のデータとが１フレーム単位で交互に供給され、この入力データを前述したように正極性ランプ信号と負極性ランプ信号とを用いてアナログ信号電圧に変換して各画素内の正極性用保持容量と負極性用保持容量とに書き込む。図２において、画素部１２３には既に書き込まれた反転状態のデータ書き込み部分に、次のフレームの正常状態のデータが画素部１２３の上から下方向の各ラインに順番に書き込まれている途中の状態を示している。図２において、１２６Ａは書き込み途中の正常状態のデータの書き込み部分を示し、１２６Ｂは既に画素部１２３に書き込まれている、まだ上書きされていない反転状態のデータ書き込み部分を示す。
【００５８】
すなわち、正常状態のデータと反転状態のデータとは１フレーム毎に交互に切り替え入力されるのであるが、１フレーム分のデータの全画素への書き込みが終了した後で次の１フレーム分のデータを書き込むのではなく、画面の途中まで書き込みが終了した書き込み部分のデータを読み出しつつ、ラインの各画素に次のフレームのデータが書き込まれることになる。
【００５９】
正常状態のデータ又は反転状態のデータが書き込まれた後、その書き込みデータは所定の周期（例えば２ｋＨｚの周期）で高速に読み出される。この読み出しは、本実施の形態では、図４（Ａ）、（Ｂ）に示すように、書き込まれたフレーム単位のデータと共通電極電圧との組み合わせが前述したように組み合わせ１〜組み合わせ４の４種類ある。本実施の形態では、読み出しが組み合わせ１→組み合わせ２→組み合わせ３→組み合わせ４→組み合わせ１→・・・の順番で巡回的に１フレーム単位で切り替わるようにしている。
【００６０】
また、共通電極電圧は上記の４種類の組み合わせのいずれにおいても、読み出し時に２ｋＨｚの周期で正極性共通電極電圧（Ｖcom1+又はＶcom2+）と、負極性側共通電極電圧（Ｖcom1-又はＶcom2-）とに交互に切り替わるが、保持容量から読み出されるのが正常状態のデータか反転状態のデータであるか、また、正極性側保持容量から読み出すのか負極性側保持容量から読み出すのかに応じて、すなわち上記の４種類の組み合わせに応じて正極性共通電極電圧及び負極性共通電極電圧のどちらから読み出すのかを選択する必要がある。
【００６１】
そこで、本実施の形態では、図２では図示を省略したが、垂直シフトレジスタ１２４のシフト状態に応じてフラグを生成し、正極性及び負極性の共通電極電圧の選択を変更する回路が用いられる。図６は、入力データと共通電極電圧との関係を示す。図６（Ａ）において、「＋側」は正常状態のデータ又は反転状態のデータが正極性側保持容量から読み出される場合、「−側」は負極性保持容量から読み出される場合を示す。また、図６（Ｂ）において、「Low」とは共通電極電圧が低レベル側電圧であるＶcom1+又はＶcom2-を示し、「High」とは共通電極電圧が高レベル側電圧であるＶcom1-又はＶcom2+を示す。
【００６２】
このようにして、本実施の形態によれば、４種類の組み合わせをすべて時系列的に表示するため、その表示画面の明るさＸは４種類の組み合わせの平均となり、（１）式〜(４)式から次式で表わされるものとなる。
【００６３】
Ｘ＝（Ｘm＋Ｘm2＋Ｘp＋Ｘp2）／４
＝（ｆm×（Ｖm1＋Ｖlv2＋Ｖm2−Ｖlv2）
＋ｆp×（Ｖp1＋Ｖlv1＋Ｖp2−Ｖlv1）)／４
＝（ｆm×（Ｖm1＋Ｖm2）＋ｆp×（Ｖp1＋Ｖp2））／４          （５）
ここで、同一画素の場合
ｆm＝ｆp＝ｆ、Ｖm1＝Ｖm2＝Ｖp1＝Ｖp2＝Ｖ
であるので、（５）式は次式で表わされる。
【００６４】
Ｘ＝ｆ×Ｖ          （６）
従って、本実施の形態によれば、（６）式から分かるように、明るさＸは各画素毎のソースフォロワ回路のトランジスタのＶthのばらつきを抑圧した明るさとすることができる。ただし、画素のばらつきは信号電圧によって若干異なるため、完全に打ち消すことはできないが、抑圧することは可能である。
【００６５】
これにより、本実施の形態によれば、各画素毎のソースフォロワ回路のトランジスタのＶthのばらつきに起因するＦＰＮを低減し、表示品質を向上できる。また、本実施の形態によれば、輝点、黒点など、画素のばらつきと同様に正しくない電圧が画素電極に印加される場合も、ある程度の抑圧が期待できる。
【符号の説明】
【００６６】
１０  液晶表示装置
１１  パネル駆動用外部駆動回路
１２  液晶パネル駆動素子
１２１  水平シフトレジスタ及びコンパレータ
１２２  水平駆動回路（ビデオスイッチ等）
１２３  画素部
１２４  垂直シフトレジスタ
１２５  画素選択回路
１２６Ａ  正常状態のデータ書き込み部分
１２６Ｂ  反転状態のデータ書き込み部分
Ｔｒ１、Ｔｒ２  画素選択用ＮＭＯＳトランジスタ
Ｔｒ３、Ｔｒ４  ソースフォロワ用ＰＭＯＳトランジスタ
Ｔｒ５、Ｔｒ６  スイッチング用ＰＭＯＳトランジスタ
Ｔｒ７  定電流負荷用ＰＭＯＳトランジスタ
ＬＣ  液晶表示素子
ＰＥ  画素電極
ＣＥ  共通電極
ＬＣＭ  液晶層
【図１】
0005549602.tif 000002
【図２】
0005549602.tif 000003
【図３】
0005549602.tif 000004
【図４】
0005549602.tif 000005
【図５】
0005549602.tif 000006
【図６】
0005549602.tif 000007
【図７】
0005549602.tif 000008